(57)【特許請求の範囲】
【請求項１】
架台と、同架台上に設けられその上面が水平面に対して傾斜する斜め面を備えた斜め支持台と、前記斜め面に直交する方向をモーター軸として前記斜め支持台の斜め面に対応して設けられたモーターと、同モーターにより前記斜め面に直交する斜め軸回りに回転駆動可能に設けられた上端開放状をした回転筒とを備え、前記回転筒内には、生ごみを微生物とともに収容した袋体からなる生ごみ処理容器を収容可能とされて前記モーターで同回転筒を回転駆動させることで生ごみ処理容器内の処理物を堆肥等として有効利用可能とした生ごみ処理装置であって、前記回転筒内には、収容される袋体を持ち回すための突起が設けられていることを特徴とする生ごみ処理装置。
【発明の詳細な説明】
【０００１】
【産業上の利用分野】
この発明は、生ごみを収容して微生物により処理させてのち堆肥等として利用可能にする生ごみ処理容器並びに生ごみ処理装置に関する。
【０００２】
【従来の技術】
家庭から出る生ごみは、これらを集めて微生物により処理させることにより、堆肥等として利用できるようにしている。
【０００３】
【発明が解決しようとする課題】
ところで、これまでは、専用の処理容器がポリ容器のようなもので、その中に直接生ごみを入れるようにしていたため、取り出す際に掬い出す必要があって大変な作業になっていた。
【０００４】
この発明は前記課題を解決するためになされたもので、その目的とするところは、袋体の容器にして、処理後の取扱いを非常に便利にした生ごみ処理容器並びに生ごみ処理装置を提供することにある。
【０００５】
【課題を解決するための手段】
前記課題を解決するため、請求項１記載の発明は、架台と、同架台上に設けられその上面が水平面に対して傾斜する斜め面を備えた斜め支持台と、前記斜め面に直交する方向をモーター軸として前記斜め支持台の斜め面に対応して設けられたモーターと、同モーターにより前記斜め面に直交する斜め軸回りに回転駆動可能に設けられた上端開放状をした回転筒とを備え、前記回転筒内には、生ごみを微生物とともに収容した袋体からなる生ごみ処理容器を収容可能とされて前記モーターで同回転筒を回転駆動させることで生ごみ処理容器内の処理物を堆肥等として有効利用可能とした生ごみ処理装置であって、前記回転筒内には、収容される袋体を持ち回すための突起が設けられていることを特徴とする。
【０００６】
【実施例】
以下、図示した実施例を参照してこの発明を詳細に説明する。
【０００７】
図１は、この発明の第１実施例を示し、この実施例においてＡは生ごみ処理容器で、１は外袋体、２は内袋体であり、外袋体１は、挿通孔３…を備えるもので、コンバインの挿通支杆に挿通孔３…を差し込んでぶら下げ状態で装着される収穫袋体をそのまま活用したものである。
【０００８】
内袋体２は、強靭なビニール袋でなっており、外袋体１の中に入れられる。
【０００９】
そして、内袋体２は外袋体１内に重なるように入れられて生ごみ処理容器Ａを構成し、その中には生ごみが逐次入れられるとともに、微生物種菌も入れられる。
【００１０】
同生ごみ処理容器Ａが一杯になると、紐等により完全に閉止されて一定期間放置される。
【００１１】
その間、この生ごみ処理容器Ａは、適宜反転されたり横倒しにされたりすることで、空気との混合状態が変えられるため、微生物との反応がより効果的になる。従って、容器自体が袋状であるので、そのまま出荷できる。
【００１２】
尚、前記実施例においては、内袋体２が複数枚であってもよい。
【００１３】
また、外袋体１は、透視できないようなビニール袋であってもよく、さらに麻袋でもよい。
【００１４】
図２は第２実施例を示し、外袋体１が通気質の麻袋であり、内袋体２は複数枚からなるビニール袋と最も内側のメッシュ袋からなる。
【００１５】
メッシュ袋２は、通気質であるので、中に入れられた生ごみが良く空気に晒され処理効果が上がる。もちろん、この生ごみ処理容器Ａも反転させたり横倒しにされたりする。
【００１６】
図３は第３実施例を示し、同実施例では、温度上昇により反応を効率化するようにしたものである。
【００１７】
すなわち、内袋体２の外面にカイロ５が複数取り付けられ、これらのカイロ５…から延びた紐６…は、外袋体１の孔７…を通じて外部に取り出された状態とされる。
【００１８】
そして、外部から紐６を引くことで、１日毎のように、逐次に対応するカイロ５を反応させて温度上昇させることができる。
【００１９】
尚、８は反転用紐であり、生ごみを収容後にこの紐８を引き反転させることができるもので、これにより、内部の空気と生ごみ及び微生物とが良く混合して処理を効率化することができるものである。この紐８は、図１および図２の実施例にも利用可能である。
【００２０】
また、９は活性炭であり、内袋体２の開口に差し込んで紐で縛ることにより臭いを消しながら内外に空気を流通させることもできる。この活性炭９も図１および図２、さらには、図４以降の実施例に利用できる。
【００２１】
図４は第４実施例を示し、生ごみ処理装置に関するものである。この生ごみ処理装置Ｂは、架台１０に、微速で往復回転可能なモーター１１を取り付け、同モーター１１によりステー１２を往復揺動させるようにするとともに、ステー１２の上に、生ごみ処理容器Ａを載せる台１３を取り付けたものである。
【００２２】
この生ごみ処理装置Ｂには生ごみ処理容器Ａが載せられて往復揺動されることで、生ごみ処理容器Ａ内の生ごみだけでなく空気および微生物が混合し、処理効率を上げることができるものである。
【００２３】
図５は第５実施例を示しており、同実施例の生ごみ処理装置Ｂは、架台１５の上に斜め支持台１６を取り付けてある。架台１５と、同架台１５上に設けられその上面が水平面に対して傾斜する斜め面を備えた斜め支持台１６と、前記斜め面に直交する方向をモーター軸として前記斜め支持台１６の斜め面に対応して設けられたモーター１８と、同モーター１８により前記斜め面に直交する斜め軸回りに回転駆動可能に設けられた上端開放状をした回転筒１７とを備え、回転筒１７内には、生ごみを微生物とともに収容した袋体からなる生ごみ処理容器Ａを収容可能とされてモーター１８で回転筒１７を回転駆動させることで生ごみ処理容器Ａ内の処理物を堆肥等として有効利用可能とした。尚、生ごみ処理容器Ａは回転筒１７とともに回動するように紐で縛ることもある。また、回転筒１７の内面には生ごみ処理容器Ａを持ち回すように突起を設けてもよい。
【００２４】
図６は第６実施例を示す。同実施例の生ごみ処理装置Ｂは、球形の一部でなるものであり、その上側の凹部２０に生ごみ処理容器Ａが載せられるようにされるとともに、底面２１が球形であることで、把手２２をもって動かせば揺動運動するものである。この揺動によっても有効な処理が可能になる。
【００２５】
尚、同生ごみ処理装置Ｂは、その内部あるいは外部に重りを配して、往復駆動自在にすることで、装置Ｂが揺動するようにしてもよい。
【００２６】
図７は第７実施例を示す。この実施例は、蓋つきのポリ容器２５の底側に球２６を備え付けたもので、図６の実施例のように生ごみ処理容器Ａに揺動運動をさせて処理を効率化するためになされたものである。
【００２７】
図８は第８実施例を示す。この実施例は、架台３０に回転軸３１を備え、同回転軸３１からステー３２を垂下させ、同ステー３２の下端に搭載台３３を備え付けたものである。生ごみ処理容器Ａを搭載台３３上に載せて人力で揺動操作したり、モーターで揺動させたりする。
【００２８】
【発明の効果】
この発明は以上のような生ごみ処理装置であるので、袋体の容器にして、処理後の取扱いを非常に便利にした生ごみ処理装置を提供することができる。
【図面の簡単な説明】
【図１】この発明の第１実施例を示す生ごみ処理容器の斜視図。
【図２】この発明の第２実施例を示す生ごみ処理容器の正面図。
【図３】この発明の第３実施例を示す生ごみ処理容器の斜視図。
【図４】この発明の第４実施例を示す生ごみ処理装置の正面図。
【図５】この発明の第５実施例を示す生ごみ処理装置の正面図。
【図６】この発明の第６実施例を示す生ごみ処理装置の正面図。
【図７】この発明の第７実施例を示す生ごみ処理装置の正面図。
【図８】この発明の第８実施例を示す生ごみ処理装置の正面図。
【符号の説明】
１…外袋体、２…内袋体、Ａ…生ごみ処理容器、Ｂ…生ごみ処理装置。
【図１】
0003837620.tif 000002
【図２】
0003837620.tif 000003
【図３】
0003837620.tif 000004
【図４】
0003837620.tif 000005
【図５】
0003837620.tif 000006
【図６】
0003837620.tif 000007
【図７】
0003837620.tif 000008
【図８】
0003837620.tif 000009